(57)【特許請求の範囲】
【請求項１】
イグナイタのモールド部を収納するモールド部収納部分、および、前記イグナイタのリード部を収納するリード部収納部分からなるイグナイタ収容部と、このイグナイタ収容部に連設され、前記イグナイタを外部電源と接続するための外部端子を備えたコネクタケース部と、を有し、前記コネクタケース部から前記イグナイタ収容部の前記リード部収納部分へ前記外部端子の一端を突出させて、この一端に前記イグナイタの前記リード部を接続させるイグナイタケースを備えた内燃機関用点火コイルにおいて、
前記イグナイタ収容部における前記モールド部収納部分と前記リード部収納部分との境界に、該リード部収納部分に収納される前記リード部を挟む突部を設け、該突部により前記外部端子に接続される前記リード部及び前記モールド部を位置決めした、
ことを特徴とする内燃機関用点火コイル。
【発明の詳細な説明】
【技術分野】
【０００１】
本発明は、自動車等の内燃機関の点火プラグに高電圧を供給し、火花放電を発生させるための内燃機関用点火コイルに関し、特に、イグナイタのリード部の位置がずれることがなくなって、イグナイタのリード部と外部端子との溶接、半田付け等による接続を確実に行うことができる内燃機関用点火コイルに関する。
【背景技術】
【０００２】
内燃機関用点火コイルは、一般に、一次コイル、二次コイルおよび鉄心で電磁気回路を形成し、イグナイタにより一次コイルへの導通、遮断を制御することにより、形成した電磁気回路に発生する磁束の励磁方向を大きく変化させて電磁誘導を引き起こし、この電磁誘導により発生した逆起電力を一次コイルと二次コイルとの巻回数比で昇圧し、二次コイルに高電圧を発生させて、この高電圧を二次コイルから内燃機関の点火プラグへ供給するものである。
【０００３】
このため、図３に示す通り、従来の内燃機関用点火コイル１は、絶縁ケース２内に、電磁気回路を形成するための、図示しない一次コイルと、この一次コイルの外側に配設される図示しない二次コイルと、この二次コイルおよび一次コイルの内側に配設され、これらのコイルを磁気的に結合する図示しない鉄心と、が少なくとも収容されている。さらに、一次コイルへの導通、遮断を制御するイグナイタ３を収容したイグナイタケース４が、絶縁ケース２に嵌め込まれ、絶縁ケース２内に図示しない絶縁樹脂が注入されて硬化し、絶縁ケース２内の必要な絶縁が維持されている。
イグナイタ３は、三つの端子で構成されるリード部３ａおよびモールド部３ｂを有し、リード部３ａの三つの端子のうちの一の端子が一次コイルの一端に接続され、リード部３ａがイグナイタケース４のコネクタケース部４１が備える外部端子４ａに接続されて、イグナイタケース４のイグナイタ収容部４２に収容されるものである。イグナイタケース４は、上記コネクタケース部４１と、このコネクタケース部４１に連設され、イグナイタ３のモールド部３ｂを収納するモールド部収納部分４２１、および、イグナイタ３のリード部３ａを収納するリード部収納部分４２２からなるイグナイタ収容部４２とで構成されている。
【０００４】
なお、上記イグナイタ３と、混合気の燃焼によって生じるイオン電流を検出するイオン電流検出回路、および、このイオン電流検出回路によって検出されたイオン電流を示す信号を処理する処理回路が形成された回路基板とが一体的に絶縁ケース内に収容され、イオン電流の確実な検出により、内燃機関の失火を判断する精度を向上させた内燃機関用点火コイルに係る発明が、下記特許文献１にて提案されている。
【先行技術文献】
【特許文献】
【０００５】
【特許文献１】特開２００３−８３２２０号公報
【発明の概要】
【発明が解決しようとする課題】
【０００６】
ここで、従来の内燃機関用点火コイル１では、イグナイタ３がリード部３ａを外部端子４ａに接続させながらイグナイタケース４のイグナイタ収容部４２に収容される際、モールド部３ｂがイグナイタケース４の、特に、イグナイタ収容部４２のモールド部収納部分４２１の内面に当てるようにして収容されることにより、イグナイタ３の位置決めを行っている。このため、図４に示す通り、イグナイタ３のリード部３ａは、公差等部品のガタつきにより、外部端子４ａとの接続がずれて溶接、半田付けされる場合が生じ、接続不良を起こす恐れがあるという問題があった。
【０００７】
そこで、本発明は、上記実情に鑑み提案され、イグナイタのリード部と外部端子との接続を確実なものとするようなイグナイタの位置決めを行うことにより、イグナイタのリード部と外部端子との溶接、半田付け等による接続を確実に実行することができ、接続不良を起こす恐れがなくなって、品質向上に寄与することができる内燃機関用点火コイルを提供することを目的とする。
【課題を解決するための手段】
【０００８】
上記目的を達成するために、本発明は、イグナイタのモールド部を収納するモールド部収納部分、および、前記イグナイタのリード部を収納するリード部収納部分からなるイグナイタ収容部と、このイグナイタ収容部に連設され、前記イグナイタを外部電源と接続するための外部端子を備えたコネクタケース部と、を有し、前記コネクタケース部から前記イグナイタ収容部の前記リード部収納部分へ前記外部端子の一端を突出させて、この一端に前記イグナイタの前記リード部を接続させるイグナイタケースを備えた内燃機関用点火コイルにおいて、前記イグナイタ収容部における前記モールド部収納部分と前記リード部収納部分との境界に、該リード部収納部分に収納される前記リード部を挟む突部を設け、該突部により前記外部端子に接続される前記リード部及び前記モールド部を位置決めした、ことを特徴とする。
【発明の効果】
【０００９】
本発明に係る内燃機関用点火コイルでは、イグナイタ収容部におけるモールド部収納部分とリード部収納部分との境界に、リード部収納部分に収納されるリード部を挟む突部を設け、この突部により外部端子に接続されるリード部及びモールド部を位置決めしたので、イグナイタのリード部とイグナイタケースにおけるコネクタケース部が備える外部端子との接続部に近い位置にてイグナイタを位置決めすることができるため、イグナイタのリード部とイグナイタケースが備える外部端子との接続の位置がずれることを抑えることができ、イグナイタのリード部と外部端子との溶接、半田付け等による接続を確実に実行することができ、接続不良を起こす恐れがなくなって、品質向上に寄与することができる。
【００１０】
特に、上記突部を、リード部収納部分に収納されるリード部を挟む位置に設けたので、イグナイタのリード部とイグナイタケースにおけるコネクタケース部が備える外部端子との接続部の極近傍にてイグナイタを位置決めすることができるため、イグナイタのリード部とイグナイタケースにおけるコネクタケース部が備える外部端子との接続の位置がずれるということを最小限に抑えることができ、イグナイタのリード部と外部端子との溶接、半田付け等による接続を確実に実行することができ、接続不良を起こす恐れがなくなって、品質向上に寄与することができる。
【００１１】
したがって、本発明により、イグナイタのリード部と外部端子との接続を確実なものとすることが可能で、イグナイタのリード部と外部端子との溶接、半田付け等による接続を確実に実行することができて、接続不良を起こすことのない、品質が向上した内燃機関用点火コイルを提供することができる。
【図面の簡単な説明】
【００１２】
【図１】参考例に係る内燃機関用点火コイルにおける、イグナイタケースにイグナイタが収容された状態を示す説明図である。
【図２】本発明に係る内燃機関用点火コイルにおける、イグナイタケースにイグナイタが収容された状態を示す説明図である。
【図３】従来の内燃機関用点火コイルの概略を示す概略平面図である。
【図４】従来の内燃機関用点火コイルにおける、イグナイタケースにイグナイタが収容された状態を示す説明図である。
【発明を実施するための形態】
【００１３】
以下、実施形態を示す図面に基づいて本発明を詳細に説明する。
図１は、参考例に係る内燃機関用点火コイルにおける、イグナイタケースにイグナイタが収容された状態を示す説明図、図２は、本発明の実施形態に係る内燃機関用点火コイルにおける、イグナイタケースにイグナイタが収容された状態を示す説明図である。なお、図３および図４に従来例として示した部分と同一又は相当部分には、同一符号を付して説明を省略する。
【００１４】
参考例に係る内燃機関用点火コイルは、図１に示す通り、イグナイタケース４におけるイグナイタ収容部４２のリード部収納部分４２２に突部４Ｘを設け、この突部４Ｘによりイグナイタ３を位置決めしたものである。特に、上記突部４Ｘは、イグナイタケース４のリード部収納部分４２２の対向する内面４２３に設けられている。換言すれば、本発明に係る内燃機関用点火コイルは、イグナイタ３のリード部３ａとイグナイタケース４におけるコネクタケース部４１が備える外部端子４ａとの接続部の極近傍であるイグナイタ３のリード部３ａにてイグナイタ３を位置決めするため、イグナイタケース４におけるイグナイタ収容部４２のリード部収納部分４２２の対向する内面４２３に、上記突部４Ｘを設けたものである。
【００１５】
そうすると、参考例に係る内燃機関用点火コイルでは、イグナイタ３のリード部３ａとイグナイタケース４におけるコネクタケース部４１が備える外部端子４ａとの接続部の極近傍にて、イグナイタ３が位置決されるため、イグナイタ３のリード部３ａとイグナイタケース４におけるコネクタケース部４１が備える外部端子４ａとの接続の位置がずれることがなくなる、若しくは、最小限に抑えられる。したがって、イグナイタ３のリード部３ａと外部端子４ａとの溶接、半田付け等による接続が確実に実行され、接続不良を起こす恐れが解消される。
【００１６】
また、本発明に係る内燃機関用点火コイルは、図２に示す通り、イグナイタケース４におけるイグナイタ収容部４２のリード部収納部分４２２の、イグナイタ３が収納された状態におけるイグナイタ３のリード部３ａに挟まれる位置に突部４Ｘを設けたものである。換言すれば、本発明の他の実施形態に係る内燃機関用点火コイルは、イグナイタ３のリード部３ａとイグナイタケース４におけるコネクタケース部４１が備える外部端子４ａとの接続部の極近傍であるイグナイタ３のリード部３ａにてイグナイタ３を位置決めするため、イグナイタケース４におけるイグナイタ収容部４２のリード部収納部分４２２に収納されるリード部３ａに挟まれる位置に、上記突部４Ｘを設けたものである。
【００１７】
そうすると、本発明に係る内燃機関用点火コイルでは、イグナイタ３のリード部３ａとイグナイタケース４におけるコネクタケース部４１が備える外部端子４ａとの接続部の極近傍にて、イグナイタ３が位置決されるため、イグナイタ３のリード部３ａとイグナイタケース４におけるコネクタケース部４１が備える外部端子４ａとの接続の位置がずれることがなくなる、若しくは、最小限に抑えられる。したがって、イグナイタ３のリード部３ａと外部端子４ａとの溶接、半田付け等による接続が確実に実行され、接続不良を起こす恐れが解消される。
【００１８】
以上、本発明の実施形態を詳述したが、本発明は、特許請求の範囲に記載された事項を逸脱することがなければ、上記実施形態に限定されることなく、種々の設計変更を行うことが可能である。
【００１９】
すなわち、本発明は、イグナイタケースのリード部収納部分に収納されるリード部に挟まれる位置に突部を設け、この突部によりイグナイタのリード部を位置決めした構成であって、イグナイタのリード部とイグナイタケースが備える外部端子との接続部の極近傍にてリード部を位置決めをするものである限り、イグナイタのリード部とイグナイタケースが備える外部端子との接続の位置がずれるということをなくし、若しくは、最小限に抑え、イグナイタのリード部と外部端子との溶接、半田付け等による接続を確実に実行することができ、接続不良を起こす恐れがなくなって、品質向上に寄与することができるので、本発明の範囲に属する内燃機関用点火コイルとなる。
【符号の説明】
【００２０】
１      内燃機関用点火コイル
２      絶縁ケース
３      イグナイタ
３ａ    リード部
３ｂ    モールド部
４      イグナイタケース
４１    コネクタケース部
４２    イグナイタ収容部
４２１  モールド部収納部分
４２２  リード部収納部分
４２３  リード部収納部分の内面
４ａ    外部端子
４Ｘ    突部
【図１】
0005413753.tif 000002
【図２】
0005413753.tif 000003
【図３】
0005413753.tif 000004
【図４】
0005413753.tif 000005